【手続補正書】
【提出日】平成23年12月9日(2011.12.9)
【手続補正１】
【補正対象書類名】明細書
【補正対象項目名】００３９
【補正方法】変更
【補正の内容】
【００３９】
好ましい実施形態によると、シリカ‐アルミナは、マイクロメートルスケールで均質であり、５重量％超かつ９５重量％以下の量のシリカ（ＳｉＯ２）を含む。前記シリカ−アルミナは以下の特性を有する：
・水銀ポロシメトリーにより測定された平均細孔径が、２０〜１４０Åの範囲である；
・水銀ポロシメトリーにより測定された総細孔容積が、０．１〜０．５ｍｌ／ｇの範囲である；
・窒素ポロシメトリーにより測定された総細孔容積が、０．１〜０．５ｍｌ／ｇの範囲である；
・ＢＥＴ比表面積が、１００〜５５０ｍ２／ｇの範囲である；
・水銀ポロシメトリーにより測定された、１４０Åを超える径の細孔に含まれる細孔容積が、０．１ｍｌ／ｇ未満である；
・水銀ポロシメトリーにより測定された、１６０Åを超える径の細孔に含まれる細孔容積が、０．１ｍｌ／ｇ未満である；
・水銀ポロシメトリーにより測定された、２００Åを超える径の細孔に含まれる細孔容積が、０．１ｍｌ／ｇ未満である；
・水銀ポロシメトリーにより測定された、５００Åを超える径の細孔に含まれる細孔容積が、０．ｌｍｌ／ｇ未満である；
・Ｘ線回折図が、アルファ、ロー、カイ、エータ、ガンマ、カッパ、シータ及びデルタアルミナからなる群に含まれる少なくとも１種の遷移アルミナの主要な特徴的ピークを少なくとも含む。
【手続補正２】
【補正対象書類名】明細書
【補正対象項目名】００５４
【補正方法】変更
【補正の内容】
【００５４】
（触媒の組成）
本発明の触媒は、有利には且つ一般に、総触媒質量に対する重量％として：
・第VIB族金属および第VIII族金属からなる群より選択される少なくとも１種の水素化脱水素元素：０．１〜６０％、好ましくは０．１〜５０％、より好ましくは０．１〜４０％；
・シリカ‐アルミナとは別の、少なくとも１種の酸化物タイプの無定形の又低結晶質の多孔質の鉱物バインダ：０〜９９％、好ましくは０〜９８％、好ましくは０〜９５％；
を含み、
前記触媒はまた、
・少なくとも１つのＣＯＫ‐７ゼオライト：０．１〜９９％、好ましくは０．２〜９９．８％、非常に好ましくは０．５〜９０％、より一層好ましくは１〜８０％；該ＣＯＫ‐７ゼオライトは、単独で用いられるか、あるいはＣＯＫ‐７ゼオライトが少なくとも１つのＺＢＭ‐３０ゼオライトとの混合物として用いられる場合、２つのゼオライトＣＯＫ‐７及びＺＢＭ‐３０の混合物中の各ゼオライトの割合は、有利には、２つのゼオライトの混合物の全重量の２０〜８０重量％の範囲であり、好ましくは３０〜７０重量％の範囲である；
・本明細書に記載のシリカ‐アルミナ：１〜９９％；
を含み、
前記触媒は場合によっては：
・構造型ＴＯＮ、ＦＥＲ、ＭＴＴを有するゼオライトからなる群より選択される少なくとも１種のゼオライト：０〜６０％、好ましくは５％〜４０％；
・ケイ素、ホウ素及びリンからなる群より選択される少なくとも１種のプロモーター元素、好ましくはホウ素及び／又はケイ素：０〜２０％、好ましくは０．１〜１５％、より好ましくは０．１％〜１０％；
・少なくとも１種の第VIIA族元素、好ましくはフッ素：０〜２０％、好ましくは０．１％〜１５％、より一層好ましくは０．１〜１０％；
を含む。
【手続補正３】
【補正対象書類名】明細書
【補正対象項目名】００６１
【補正方法】変更
【補正の内容】
【００６１】
本出願人が使用する用語「真正の共沈（true co-precipitation）」は、上記の塩基性又は酸性媒体に完全に可溶な少なくとも１種の上記アルミニウム化合物及び少なくとも１種の上記ケイ素化合物を、少なくとも１種の沈殿及び／又は共沈化合物の存在下で、同時に又は順次に接触させてシリカ‐アルミナ水和物から実質的に構成される混合相を得、場合によって、激しい攪拌、剪断、コロイドミリング又はこれらの個々の操作の組み合わせによって均質化させる方法を意味する。
【手続補正４】
【補正対象書類名】明細書
【補正対象項目名】００６３
【補正方法】変更
【補正の内容】
【００６３】
より好ましくは、使用されるアルミニウム水和物Ａｌ２Ｏ３・ｎＨ２Ｏは、ベーマイト、擬ベーマイト、無定形な又は実質的に無定形なアルミナゲルである。任意の有利な組合せによるこれら生成物の混合物を使用してもよい。
【手続補正５】
【補正対象書類名】明細書
【補正対象項目名】００８０
【補正方法】変更
【補正の内容】
【００８０】
成形はまた、有利には、得られた鉱物ペーストの触媒および押出物の種々の成分の存在下に、ペレット化、回転式又はドラムボウル造粒器を用いたビーズ状物への成形、油滴凝固、オイルアップ凝固またはアルミナおよび場合による上記に挙げられたものから選択される他の成分を含む粉体を凝集させるための任意の他の既知の方法によって行われ得る。
【手続補正６】
【補正対象書類名】明細書
【補正対象項目名】００９９
【補正方法】変更
【補正の内容】
【００９９】
水素化機能は、有利には、第VIII族金属および第VIB族金属から選択される少なくとも１種の金属の少なくとも１種の酸化物の少なくとも１種の前駆体を含む溶液を用いて、成形されかつ焼成された担体の含浸のための１回以上の操作を用いて導入され得、触媒が少なくとも１種の第VIB族金属および少なくとも１種の第VIII族金属を含む場合には、第VIII族金属からの少なくとも１種の金属の少なくとも１種の酸化物の前駆体（単数または複数）は、好ましくは、第VIB族金属の前駆体後または、それと同時に導入される。
【手続補正７】
【補正対象書類名】明細書
【補正対象項目名】０１１８
【補正方法】変更
【補正の内容】
【０１１８】
有利に用いられ得る第VIIA族元素源は、当業者に周知である。一例として、フッ化物アニオンは有利には、フッ化水素酸又はその塩の形態で導入され得る。これらの塩はアルカリ金属、アンモニウム又は有機化合物で形成される。この後者の場合、塩は有利には、有機化合物とフッ化水素酸との反応による反応混合物中で形成される。またフルオロケイ酸アンモニウム（ＮＨ４）２ＳｉＦ６、四フッ化ケイ素ＳｉＦ４、または六フッ化ナトリウムＮａ２ＳｉＦ６のようなフッ化物アニオンを水中に放出することができる加水分解可能な化合物を使用することも可能である。フッ素は、有利には、例えばフッ化水素酸又はフッ化アンモニウムの水溶液を含浸させることにより導入され得る。
【手続補正８】
【補正対象書類名】明細書
【補正対象項目名】０１３３
【補正方法】変更
【補正の内容】
【０１３３】
本発明の触媒は、有利には、単独で、或いは１個以上の反応器内の１個以上の触媒床中で、ワンススルー（onece-through）水素化分解法において、転化されていないフラクションの液体の再利用を行うか行わないかに関わらず使用され得、場合によっては本発明の触媒の上流に位置する水素化精製（hydrorefining）触媒と組み合わせて使用され得る。
【手続補正９】
【補正対象書類名】明細書
【補正対象項目名】０１４０
【補正方法】変更
【補正の内容】
【０１４０】
石油留分の転化方法が二工程で行われる場合、本発明の触媒が有利には第２工程で使用される。
【手続補正１０】
【補正対象書類名】明細書
【補正対象項目名】０１６３
【補正方法】変更
【補正の内容】
【０１６３】
総転化度（gross conversion：ＧＣ）は：
ＧＣ＝流出液中の３８０℃−の重量％
であった。